(57)【要約】【課題】シート材が載置される位置のずれを抑える。【解決手段】延反装置は、上方ローラー部４０と、コンベヤベルト４６とを有している。上方ローラー部４０は、延反テーブル１０の平坦面に沿って所定の方向である進退方向に進退可能である。コンベヤベルト４６は、シート材が載せられるためのものである。上方ローラー部４０は、一端ローラー本体６０と、支持ローラー本体６２と、一端ローラー昇降体６４と、ローラー固定体６６と、張力付与部６８とを有している。張力付与部６８は、一端ローラー本体６０の昇降に応じてコンベヤベルト４６に張力を付与する。【選択図】図３
2020104231.tif 000002
【特許請求の範囲】
【請求項１】
平坦面を有する延反テーブルと、
シート材を前記延反テーブルの前記平坦面に載置する載置部とを備え、
前記載置部が、
前記平坦面の上方に配置され、前記延反テーブルの前記平坦面に沿って所定の方向である進退方向に進退可能である上方ローラー部と、
前記上方ローラー部の進退に連動して移動する連動ローラー部と、
前記上方ローラー部と前記連動ローラー部とに保持され前記上方ローラー部と前記連動ローラー部とによって駆動される、前記シート材が載せられるためのコンベヤベルトと、
前記上方ローラー部が、
前記進退方向に直交する方向に沿って延び前記コンベヤベルトが巻き回されるローラーである一端ローラー本体と、
前記一端ローラー本体に沿って延び前記コンベヤベルトが載せられるローラーである支持ローラー本体と、
前記一端ローラー本体を回転自在に昇降させる一端ローラー昇降体と、
前記支持ローラー本体を回転自在に固定し、前記一端ローラー昇降体を固定し、かつ、前記延反テーブルの前記平坦面に沿って前記進退方向に進退可能であるローラー固定体とを有しており、
前記連動ローラー部が、
前記一端ローラー本体と共に前記コンベヤベルトが巻き回されるローラーである連動ローラー本体と、
前記連動ローラー本体を回転自在に保持し前記ローラー固定体の移動に連動して移動する連動ローラー保持体とを有している延反装置であって、
前記上方ローラー部が、前記一端ローラー本体と共に前記一端ローラー昇降体に接続され、前記一端ローラー本体の昇降に応じて前記コンベヤベルトに張力を付与する張力付与部をさらに有していることを特徴とする延反装置。
【請求項２】
前記張力付与部が、
前記一端ローラー昇降体に一端が接続され、前記進退方向に直交する軸である揺動軸を中心として揺動自在に前記ローラー固定体に保持され、かつ、前記揺動軸から見て前記一端ローラー本体とは反対側に他端が延びる揺動保持部と、
前記揺動軸から見て前記一端ローラー本体とは反対側において前記揺動保持部により保持され前記揺動保持部により前記コンベヤベルトに押し当てられる押当体とを有していることを特徴とする請求項１に記載の延反装置。
【請求項３】
前記押当体が前記揺動軸に沿って延びており、
前記揺動保持部が、前記揺動軸に沿って延びる軸を中心に回転自在に前記押当体を保持することを特徴とする請求項２に記載の延反装置。
【発明の詳細な説明】
【技術分野】
【０００１】
本発明は延反装置に関する。
【背景技術】
【０００２】
特許文献１は、延反装置を開示する。この延反装置は、ロール状の原反からシート材を引き出して積載面へ載置する。この延反装置は、シート材を、原反から引き出した引出長よりも大きい送出長だけ積載面へ送り出すように形成されている。特許文献１に開示された延反装置によれば、収縮防止処理ができる。
【先行技術文献】
【特許文献】
【０００３】
【特許文献１】特開２０１６−１７２２８７号公報
【発明の概要】
【発明が解決しようとする課題】
【０００４】
しかしながら、特許文献１に開示された延反装置には、積載面におけるシート材が載置される位置にずれが生じやすいという問題点がある。本発明の目的は、シート材が載置される位置のずれを抑える延反装置を提供することにある。
【課題を解決するための手段】
【０００５】
図面を参照し本発明の延反装置を説明する。なおこの欄で図中の符号を使用したのは発明の内容の理解を助けるためであって内容を図示した範囲に限定する意図ではない。
【０００６】
上述した課題を解決するために、本発明のある局面に従うと、延反装置は、延反テーブル１０と、載置部１６とを備える。延反テーブル１０は、平坦面２０を有する。載置部１６は、シート材２１０を延反テーブル１０の平坦面２０に載置する。載置部１６は、上方ローラー部４０と、連動ローラー部４２と、コンベヤベルト４６とを有している。上方ローラー部４０は、平坦面２０の上方に配置される。上方ローラー部４０は、延反テーブル１０の平坦面２０に沿って所定の方向である進退方向に進退可能である。連動ローラー部４２は、上方ローラー部４０の進退に連動して移動する。コンベヤベルト４６は、上方ローラー部４０と連動ローラー部４２とに保持される。コンベヤベルト４６は、上方ローラー部４０と連動ローラー部４２とによって駆動される。コンベヤベルト４６は、シート材２１０が載せられるためのものである。上方ローラー部４０は、一端ローラー本体６０と、支持ローラー本体６２と、一端ローラー昇降体６４と、ローラー固定体６６とを有している。一端ローラー本体６０は、進退方向に直交する方向に沿って延びる。一端ローラー本体６０は、コンベヤベルト４６が巻き回されるローラーである。支持ローラー本体６２は、一端ローラー本体６０に沿って延びる。支持ローラー本体６２は、コンベヤベルト４６が載せられるローラーである。一端ローラー昇降体６４は、一端ローラー本体６０を回転自在に昇降させる。ローラー固定体６６は、支持ローラー本体６２を回転自在に固定する。ローラー固定体６６は、一端ローラー昇降体６４を固定する。ローラー固定体６６は、延反テーブル１０の平坦面２０に沿って進退方向に進退可能である。連動ローラー部４２は、連動ローラー本体８０と、連動ローラー保持体８２とを有している。連動ローラー本体８０は、一端ローラー本体６０と共にコンベヤベルト４６が巻き回されるローラーである。連動ローラー保持体８２は、連動ローラー本体８０を回転自在に保持する。連動ローラー保持体８２は、ローラー固定体６６の移動に連動して移動する。上方ローラー部４０は、張力付与部６８をさらに有している。張力付与部６８は、一端ローラー本体６０と共に一端ローラー昇降体６４に接続される。張力付与部６８は、一端ローラー本体６０の昇降に応じてコンベヤベルト４６に張力を付与する。
【０００７】
一端ローラー昇降体６４は、一端ローラー本体６０を回転自在に昇降させる。一端ローラー本体６０は、コンベヤベルト４６が巻き回されるローラーである。支持ローラー本体６２は、一端ローラー本体６０に沿って延びる。支持ローラー本体６２にはコンベヤベルト４６が載せられる。ローラー固定体６６は、支持ローラー本体６２を回転自在に固定する。これにより、一端ローラー本体６０の昇降に伴って、一端ローラー本体６０と支持ローラー本体６２との間隔が変動する。一端ローラー本体６０の昇降に伴って一端ローラー本体６０と支持ローラー本体６２との間隔が変動することはコンベヤベルト４６にたるみが生じる原因となる。張力付与部６８が、一端ローラー本体６０の昇降に応じてコンベヤベルト４６に張力を付与する。そのようにして張力が付与されるコンベヤベルト４６は、その張力が付与されない場合に比べて、一端ローラー本体６０の昇降に伴うたるみが生じ難くなる。コンベヤベルト４６のたるみが生じ難くなれば、そのたるみが生じ易い場合に比べて、シート材２１０が載置される位置のずれに誤差が生じ難くなる。シート材２１０が載置される位置のずれに誤差が生じ難くなるので、シート材２１０が載置される位置のずれを抑え得る。
【０００８】
また、上述した張力付与部６８が、揺動保持部１２０と、押当体１２４とを有していることが望ましい。揺動保持部１２０の一端は一端ローラー昇降体６４に接続される。揺動保持部１２０は、揺動軸を中心として揺動自在にローラー固定体６６に保持される。揺動軸は、進退方向に直交する軸である。揺動保持部１２０の他端は、揺動軸から見て一端ローラー本体６０とは反対側に延びる。押当体１２４は、揺動軸から見て一端ローラー本体６０とは反対側において揺動保持部１２０により保持される。押当体１２４は、揺動保持部１２０によりコンベヤベルト４６に押し当てられる。
【０００９】
揺動保持部１２０は、揺動軸を中心として揺動自在にローラー固定体６６に保持される。揺動軸は、進退方向に直交する軸である。揺動保持部１２０の他端は、揺動軸から見て一端ローラー本体６０とは反対側に延びる。押当体１２４は、揺動軸から見て一端ローラー本体６０とは反対側において揺動保持部１２０により保持される。これにより、一端ローラー本体６０の昇降に伴って、揺動保持部１２０は、揺動軸を中心として揺動する。その揺動に伴い、押当体１２４は、コンベヤベルト４６に押し当てられる。押当体１２４がコンベヤベルト４６に押し当てられるので、押当体１２４のコンベヤベルト４６への押し当ての強さは一端ローラー本体６０の昇降に応じて調整されることとなる。このように押し当ての強さが調整されるので、一端ローラー本体６０の昇降に伴うたるみが生じ難くなる。コンベヤベルト４６のたるみが生じ難くなれば、そのたるみが生じ易い場合に比べて、シート材２１０が載置される位置のずれに誤差が生じ難くなる。シート材２１０が載置される位置のずれに誤差が生じ難くなるので、シート材２１０が載置される位置のずれを抑え得る。
【００１０】
もしくは、上述した押当体１２４が、揺動軸に沿って延びることが望ましい。この場合、揺動保持部１２０が、揺動軸に沿って延びる軸を中心に回転自在に押当体１２４を保持することが望ましい。
【００１１】
押当体１２４が揺動軸に沿って延びる軸を中心に回転自在である。これにより、そうでない場合に比べて、コンベヤベルト４６への張力付与にコンベヤベルト４６における領域ごとの押し当ての強さに偏りが生じる可能性が低くなる。
【発明の効果】
【００１２】
本発明によれば、シート材が載置される位置のずれを抑える。
【図面の簡単な説明】
【００１３】
【図１】本発明のある実施形態にかかる延反装置の外観図である。
【図２】本発明のある実施形態にかかる載置部の構成を示す概念図である。
【図３】本発明のある実施形態にかかる上方ローラー部の構成を示す概念図である。
【図４】本発明のある実施形態にかかる張力付与部の構成を示す概念図である。
【発明を実施するための形態】
【００１４】
以下、本発明について図面に基づき詳細に説明する。以下の説明では、同一の部品には同一の符号を付してある。それらの名称及び機能も同一である。従って、それらについての詳細な説明は繰返さない。
【００１５】
［構成の説明］
図１は、本実施形態にかかる延反装置の外観図である。図１に基づいて、本実施形態にかかる延反装置の構成が説明される。
【００１６】
本実施形態にかかる延反装置は、延反テーブル１０と、原反支持部１２と、カッター１４と、載置部１６と、制御部１８とを備える。
【００１７】
延反テーブル１０は、平坦面２０と走行溝２２とを有する。平坦面２０にはシート材２１０が積み重ねられる。本実施形態の場合、衣服用の生地がシート材２１０となっている。走行溝２２は載置部１６の走行路となる。原反支持部１２は、ロール状の原反２００を回転自在に支持する。本実施形態の場合、所定の長さとなるように切り離された原反２００の一部がシート材２１０となる。カッター１４は、原反２００からシート材２１０を切り離す。載置部１６は、そのシート材２１０を延反テーブル１０の平坦面２０に載置する。さらに、本実施形態の場合、載置部１６は、原反支持部１２に原反２００が支持されているときに原反２００からシート材２１０を引き出す。制御部１８は、カッター１４と載置部１６とを制御する。
【００１８】
図２は、本実施形態にかかる載置部１６の構成を示す概念図である。図２に基づいて、本実施形態にかかる載置部１６の構成が説明される。本実施形態にかかる載置部１６は、上方ローラー部４０と、連動ローラー部４２と、複数のコンベヤ保持ローラー本体４４と、コンベヤベルト４６と、連動ワイヤー４８の対と、複数のワイヤー保持ローラー本体５０と、ワイヤー駆動部５２と、図１に示された筐体５４とを有している。
【００１９】
上方ローラー部４０は、平坦面２０の上方に配置される。その結果、上方ローラー部４０は、平坦面２０に向かい合うように配置されることとなる。上方ローラー部４０は、延反テーブル１０の平坦面２０に沿って所定の方向に進退可能である。本実施形態では、その所定の方向は進退方向と称される。本実施形態の場合、進退方向は、シート材２１０を原反２００から引き出す方向である。上方ローラー部４０の具体的な構成は後述される。
【００２０】
連動ローラー部４２は、延反テーブル１０内に収容されている。後述されるように、連動ローラー部４２は、上方ローラー部４０の移動に連動して移動する。連動ローラー部４２は、連動ローラー本体８０と、連動ローラー保持体８２とを有している。連動ローラー本体８０は、上方ローラー部４０（具体的には後述される一端ローラー本体６０）と共にコンベヤベルト４６が巻き回される周知のローラーである。連動ローラー本体８０は、図示されない回転駆動装置によって回転させられる。その回転は、制御部１８によって制御される。連動ローラー保持体８２は、連動ローラー本体８０を回転自在に保持する。
【００２１】
コンベヤ保持ローラー本体４４は、周知のローラーである。コンベヤ保持ローラー本体４４のあるものは延反テーブル１０内に回転自在に収容されている。コンベヤ保持ローラー本体４４の他のものは延反テーブル１０の平坦面２０の上方に回転自在に配置される。
【００２２】
コンベヤベルト４６の一部は延反テーブル１０内に収容されている。コンベヤベルト４６の残る一部は延反テーブル１０の端からその外に出て平坦面２０の上方に配置される。コンベヤベルト４６は、上方ローラー部４０と連動ローラー部４２と複数のコンベヤ保持ローラー本体４４とによって保持される。コンベヤベルト４６は、上方ローラー部４０と連動ローラー部４２の連動ローラー本体８０とに駆動される。
【００２３】
連動ワイヤー４８は、延反テーブル１０内から走行溝２２にわたり配置される。連動ワイヤー４８は、上方ローラー部４０と連動ローラー部４２の連動ローラー保持体８２とに接続される。
【００２４】
ワイヤー保持ローラー本体５０は周知のローラーである。ワイヤー保持ローラー本体５０は延反テーブル１０内に回転自在に収容されている。ワイヤー保持ローラー本体５０は連動ワイヤー４８を保持する。これにより、連動ワイヤー４８は所定の箇所を経由するように配置されることとなる。また、連動ワイヤー４８は上方ローラー部４０と連動ローラー部４２の連動ローラー保持体８２とに接続されることとなる。
【００２５】
ワイヤー駆動部５２は、ワイヤー保持ローラー本体５０を駆動する。この駆動に伴い、連動ワイヤー４８が駆動される。連動ワイヤー４８が駆動されることに伴い、連動ワイヤー４８に接続されている上方ローラー部４０と連動ローラー部４２とが駆動されることとなる。連動ローラー部４２が近づくようにワイヤー駆動部５２が連動ワイヤー４８を駆動すると、上方ローラー部４０はワイヤー駆動部５２から遠のく。上方ローラー部４０が近づくようにワイヤー駆動部５２が連動ワイヤー４８を駆動すると、連動ローラー部４２はワイヤー駆動部５２から遠のく。その結果、連動ローラー部４２は、上方ローラー部４０の移動に連動して移動することとなる。
【００２６】
筐体５４は、支柱状の部分と梁状の部分とを有する。これにより、前者の部分と後者の部分とによって図１に示される空間２２０が形成される。その空間２２０を経由してシート材２１０は延反テーブル１０の平坦面２０に載置される。
【００２７】
図３は、本実施形態にかかる上方ローラー部４０の構成を示す概念図である。図３に基づいて、本実施形態にかかる上方ローラー部４０の構成が説明される。本実施形態にかかる上方ローラー部４０は、一端ローラー本体６０と、支持ローラー本体６２と、一端ローラー昇降体６４と、ローラー固定体６６と、張力付与部６８とを有している。
【００２８】
一端ローラー本体６０は、筐体５４が形成する空間２２０内に配置される。一端ローラー本体６０は、周知のローラーである。一端ローラー本体６０は、進退方向に直交する方向に沿って延びるように配置される。一端ローラー本体６０は、平坦面２０に対向するように配置される。一端ローラー本体６０にはコンベヤベルト４６が巻き回される。一端ローラー本体６０は、図示されない回転駆動装置によって回転させられる。その回転は、制御部１８によって制御される。これにより、一端ローラー本体６０は、連動ローラー部４２の連動ローラー本体８０と共にコンベヤベルト４６を駆動することとなる。
【００２９】
支持ローラー本体６２は、筐体５４が形成する空間２２０内に配置される。支持ローラー本体６２は、周知のローラーである。支持ローラー本体６２は、一端ローラー本体６０よりも原反支持部１２側に配置される。支持ローラー本体６２は、一端ローラー本体６０に沿って延びる。支持ローラー本体６２は、平坦面２０に対向するように配置される。支持ローラー本体６２は、コンベヤベルト４６が載せられるローラーである。
【００３０】
一端ローラー昇降体６４は、筐体５４内に収容される。一端ローラー昇降体６４は、一端ローラー本体６０を回転自在に昇降させる。本実施形態の場合、一端ローラー昇降体６４は、一端ローラー保持体１３０の対と、保持体駆動部１３２の対とを有する。一端ローラー保持体１３０の対の一方は、筐体５４の支柱状の部分の一方に収容される。一端ローラー保持体１３０の対の他方は、筐体５４の支柱状の部分の他方に収容される。一端ローラー保持体１３０は、一端ローラー本体６０を回転自在に保持する。保持体駆動部１３２の対の一方は、筐体５４の支柱状の部分の一方に収容される。保持体駆動部１３２の対の他方は、筐体５４の支柱状の部分の他方に収容される。保持体駆動部１３２の対は、一端ローラー保持体１３０を昇降させる。制御部１８は、保持体駆動部１３２の対が同期して一端ローラー保持体１３０を昇降させるよう、保持体駆動部１３２の対を制御する。
【００３１】
ローラー固定体６６は、筐体５４内に収容される。ローラー固定体６６は、支持ローラー本体６２を回転自在に固定する。ローラー固定体６６は、一端ローラー昇降体６４の保持体駆動部１３２を固定する。ローラー固定体６６は、延反テーブル１０の平坦面２０に沿って進退方向に進退可能である。本実施形態の場合、ローラー固定体６６は、板状の構造材１４０の対を有する。構造材１４０の対の一方は、筐体５４の支柱状の部分の一方に収容される。構造材１４０の対の他方は、筐体５４の支柱状の部分の他方に収容される。構造材１４０の対の一方は、支持ローラー本体６２の一端を回転自在に固定する。構造材１４０の対の他方は、支持ローラー本体６２の他端を回転自在に固定する。構造材１４０の対の一方は、一端ローラー昇降体６４の保持体駆動部１３２の対の一方を固定する。構造材１４０の対の他方は、一端ローラー昇降体６４の保持体駆動部１３２の対の他方を固定する。本実施形態の場合、構造材１４０は、走行溝２２を走行路として走行可能である。構造材１４０の対の一方は、連動ワイヤー４８の対の一方に接続される。構造材１４０の対の他方は、連動ワイヤー４８の対の他方に接続される。構造材１４０の対は、連動ワイヤー４８の対およびそれらの連動ワイヤー４８の対を保持するワイヤー保持ローラー本体５０を介して、ワイヤー駆動部５２により駆動される。ローラー固定体６６は、構造材１４０の対を介して、ワイヤー駆動部５２により駆動される。
【００３２】
張力付与部６８は、筐体５４が形成する空間２２０内に配置される。張力付与部６８は、一端ローラー本体６０と共に一端ローラー昇降体６４に接続される。張力付与部６８は、一端ローラー本体６０の昇降に応じてコンベヤベルト４６に張力を付与する。
【００３３】
図４は、本実施形態にかかる張力付与部６８の構成を示す概念図である。図４に基づいて、本実施形態にかかる張力付与部６８の構成が説明される。本実施形態にかかる張力付与部６８は、揺動保持部１２０と、揺動軸材１２２と、押当体１２４とを有している。
【００３４】
本実施形態の場合、揺動保持部１２０は、揺動部材１５０の対を有する。一端ローラー本体６０の軸の一端は揺動部材１５０の対の一方を貫通して一端ローラー保持体１３０の対の一方に保持される。一端ローラー本体６０の軸の他端は揺動部材１５０の対の他方を貫通して一端ローラー保持体１３０の対の他方に保持される。これにより、揺動部材１５０の対も一端ローラー保持体１３０に接続されることとなる。ひいては、揺動部材１５０の一端は一端ローラー昇降体６４に接続されることとなる。揺動部材１５０の一端には長孔が形成されている。一端ローラー本体６０の軸はその長孔を貫通して一端ローラー保持体１３０に保持される。揺動部材１５０の中央付近にも孔が形成されている。その孔を揺動軸材１２２が貫通する。揺動部材１５０の他端にも孔が形成されている。
【００３５】
揺動軸材１２２は、進退方向に直交する方向に沿って延びるように配置される。本実施形態の場合、揺動軸材１２２は、丸棒状の部材である。揺動軸材１２２は、揺動部材１５０の中央付近の孔を貫通してローラー固定体６６の構造材１４０に固定される。揺動軸材１２２の一端は、揺動部材１５０の対の一方の中央付近の孔を貫通する。揺動軸材１２２の他端は、揺動部材１５０の対の他方の中央付近の孔を貫通する。これにより、揺動部材１５０の対は、揺動軸材１２２を中心として揺動自在にローラー固定体６６に保持されることとなる。その結果、揺動保持部１２０は、揺動軸を中心として揺動自在にローラー固定体６６に保持されることとなる。また、揺動保持部１２０の他端は、揺動軸から見て一端ローラー本体６０とは反対側に延びることとなる。
【００３６】
押当体１２４は、揺動軸から見て一端ローラー本体６０とは反対側において揺動保持部１２０により保持される。本実施形態にかかる押当体１２４は、上述された揺動軸に沿って延びる周知のローラーである。本実施形態の場合、押当体１２４の軸の一端は、揺動部材１５０の対の一方の他端の孔を貫通する。押当体１２４の軸の他端は、揺動部材１５０の対の他方の他端の孔を貫通する。これにより、押当体１２４は、揺動部材１５０の対に挟まれることとなる。その結果、揺動保持部１２０は、揺動軸から見て一端ローラー本体６０とは反対側において、揺動軸に沿って延びる軸を中心に回転自在に押当体１２４を保持することとなる。
【００３７】
なお、延反テーブル１０と、原反支持部１２と、カッター１４と、制御部１８との具体的な構成は周知の延反装置と同様である。したがって、ここではその詳細な説明は繰り返されない。
【００３８】
［製造方法の説明］
本実施形態にかかる延反装置の製造方法は、上述された各部の部品を予め製造した後、それらを組み立てるというものである。それらの部品を製造するための具体的な方法は周知のものを任意に用い得る。それらの具体的な組立方法も同様である。
【００３９】
［使用方法の説明］
以下、本実施形態にかかる延反装置の使用方法が説明される。まず、制御部１８は、載置部１６を原反支持部１２に隣接するよう移動させる。続いて、制御部１８は、一端ローラー保持体１３０の対を最も低い位置へ移動させる。これらの制御は、制御部１８がユーザの指示を受け付けた後に実施される。ユーザは、原反支持部１２に原反２００を取り付ける。
【００４０】
原反２００が取り付けられると、ユーザは、その原反２００の端を引き出す。ユーザはその原反２００の端をコンベヤベルト４６に載せる。コンベヤベルト４６に原反２００の端が載せられると、制御部１８は、一端ローラー本体６０と連動ローラー本体８０とを動作させる。これにより、原反２００から布が引き出される。引き出された原反２００の端はカッター１４の下を通過する。原反２００の端がカッター１４の下を通過すると、制御部１８は、カッター１４を制御する。カッター１４は原反２００の端を切断する。ユーザは、切断された原反２００の端を廃棄する。これにより、端の切除後の原反２００の位置決めが完了する。これらの制御は、制御部１８がユーザの指示を受け付けた後に実施される。
【００４１】
原反２００の位置決めが完了すると、制御部１８は、一端ローラー本体６０と連動ローラー本体８０とを再び動作させる。これにより、原反２００から布が引き出される。原反２００の端は、一端ローラー本体６０の真上に到達する。制御部１８は図示されないセンサを介してこのことを検知する。原反２００の端が一端ローラー本体６０の真上に到達すると、制御部１８は、載置部１６が原反支持部１２から離れるように載置部１６を移動させる。載置部１６の移動に伴い、原反２００から布が引き出される。一端ローラー本体６０が平坦面２０の端に到達すると、制御部１８は図示されないセンサを介してこのことを検知する。そのことを検知した制御部１８は、載置部１６を停止させる。載置部１６が停止すると、制御部１８は、カッター１４を制御して原反２００から引き出された布を切断する。これにより、原反２００から引き出された布はシート材２１０になる。これらの制御は、制御部１８がユーザの指示を受け付けた後に実施される。
【００４２】
原反２００から引き出された布が切断されると、制御部１８は、一端ローラー本体６０と連動ローラー本体８０とを動作させる。これにより、シート材２１０は一端ローラー本体６０の上を通過して平坦面２０に載せられる。これと並行して、制御部１８は、載置部１６を原反支持部１２に近づくよう移動させる。本実施形態においては、コンベヤベルト４６上のシート材２１０の移動速度と載置部１６の移動速度とが一致する。これにより、シート材２１０はたるまずに平坦面２０に載せられる。これらの制御は、制御部１８がユーザの指示を受け付けた後に実施される。
【００４３】
シート材２１０がすべて平坦面２０に載せられると、制御部１８は、一端ローラー保持体１３０の対を上昇させる。上昇幅は、１枚のシート材２１０の厚さに等しい。一端ローラー保持体１３０の対が上昇すると、一端ローラー本体６０も上昇する。その上昇幅も１枚のシート材２１０の厚さに等しい。一端ローラー本体６０が上昇すると、揺動部材１５０の対は、揺動軸を中心として揺動する。その揺動に伴い、押当体１２４はコンベヤベルト４６のうちシート材２１０が載せられない区間へ押し当てられる。押当体１２４がコンベヤベルト４６へ押し当てられると、制御部１８は、一端ローラー本体６０と連動ローラー本体８０とを再び動作させる。これにより、原反２００から布が引き出される。以下、同様にして平坦面２０にシート材２１０が積み重ねられる。
【００４４】
［効果の説明］
一端ローラー本体６０と支持ローラー本体６２との間隔が変動する延反装置は、連動ローラー保持体８２がローラー固定体６６の走行に連動して移動する構造であっても、一端ローラー本体６０の昇降に伴うたるみが生じる。一方、本実施形態にかかる延反装置では、張力付与部６８が、一端ローラー本体６０の昇降に応じてコンベヤベルト４６に張力を付与する。そのようにして張力が付与されるコンベヤベルト４６は、その張力が付与されない場合に比べて、一端ローラー本体６０の昇降に伴うたるみが生じ難くなる。コンベヤベルト４６のたるみが生じ難くなれば、そのたるみが生じ易い場合に比べて、シート材２１０が載置される位置のずれに誤差が生じ難くなる。シート材２１０が載置される位置のずれに誤差が生じ難くなるので、シート材２１０が載置される位置のずれを抑え得る。
【００４５】
本実施形態にかかる延反装置の場合、一端ローラー本体６０の昇降に伴って、押当体１２４は、コンベヤベルト４６に押し当てられる。これにより、押当体１２４のコンベヤベルト４６への押し当ての強さは一端ローラー本体６０の昇降に応じて調整されることとなる。このように押し当ての強さが調整されるので、一端ローラー本体６０の昇降に伴うたるみが生じ難くなる。
【００４６】
本実施形態にかかる延反装置の場合、押当体１２４は、コンベヤベルト４６のうちシート材２１０が載せられない区間に押し当てられる。シート材２１０が載せられない区間に押し当てられるので、コンベヤベルト４６のうちカッター１４から一端ローラー本体６０までの区間の距離は押当体１２４が押し当てられることによっては変動しない。これにより、その変動がある場合に比べて、平坦面２０に積み重ねられるシート材２１０にたるみが生じる可能性が低くなる。
【００４７】
〈変形例の説明〉
上述した延反装置は、本発明の技術的思想を具体化するために例示したものである。上述した延反装置は、本発明の技術的思想の範囲内において種々の変更を加え得るものである。
【００４８】
例えば、シート材２１０は衣類用の生地に限定されない。タオルその他の用途に用いられる生地がシート材２１０であってもよい。不織布がシート材２１０であってもよい。
【００４９】
また、シート材２１０は原反２００からカッター１４によって切り出されるものに限定されない。例えば、あらかじめ周知の裁断機によって裁断されたシート材２１０が周知の装置によって本発明にかかる延反装置に供給されても良い。
【００５０】
また、連動ローラー部４２の位置は延反テーブル１０内に限定されない。連動ローラー部４２は上方ローラー部４０と共に平坦面２０の上方に配置されてもよい。その場合、上方ローラー部４０と連動ローラー部４２とを連動させるための具体的な機構は特に限定されない。
【００５１】
また、押当体１２４は周知のローラーに限定されない。例えば、押当体１２４は回転自在に保持される球体であってもよい。押当体１２４は、回転自在な物体である回転体であることが望ましい。
【符号の説明】
【００５２】
１０…延反テーブル
１２…原反支持部
１４…カッター
１６…載置部
１８…制御部
２０…平坦面
２２…走行溝
４０…上方ローラー部
４２…連動ローラー部
４４…コンベヤ保持ローラー本体
４６…コンベヤベルト
４８…連動ワイヤー
５０…ワイヤー保持ローラー本体
５２…ワイヤー駆動部
５４…筐体
６０…一端ローラー本体
６２…支持ローラー本体
６４…一端ローラー昇降体
６６…ローラー固定体
６８…張力付与部
８０…連動ローラー本体
８２…連動ローラー保持体
１２０…揺動保持部
１２２…揺動軸材
１２４…押当体
１３０…一端ローラー保持体
１３２…保持体駆動部
１４０…構造材
１５０…揺動部材
２００…原反
２１０…シート材
２２０…空間
【図１】
2020104231.tif 000003
【図２】
2020104231.tif 000004
【図３】
2020104231.tif 000005
【図４】
2020104231.tif 000006